(57)【特許請求の範囲】
【請求項１】
分解可能および／または折畳み可能なシェルター（２）の骨組みを構成する、前記シェルタ（２）を設置するための装置であって、
クリップ形状の締結手段（１１）が設けられた自由端（１０）を有する少なくとも２本の実質的に水平なアーム（７、８）が異なる高さにそれぞれに設けられた、少なくとも２本の垂直直立材（５、６）を備え、
前記装置は、
前記２本の直立材（５、６）のそれぞれに並進移動するように装着された接続リング（１６）との関節接続手段（１５）を端部（１３、１４）それぞれに備える少なくとも１本の伸縮梁（１２）
をさらに有し、
前記接続リング（１６）は、前記直立材（５、６）に沿った並進移動を妨げるための手段（１７）を有し、
前記接続リング（１６）が、突出するように設けられたその外周に、少なくとも１つの突起（２０、２１）であって、ピン（２３）を受けるための穴（２２）を有する少なくとも１つの突起（２０、２１）を備え、前記突起（２０、２１）には、前記端部（１３、１４）のそれぞれで伸縮梁（１２）を終端させる前記関節接続手段（１５）が設けられており、
前記ピン（２３）を受けるための前記穴（２２）は、垂直方向に延び、前記ピン（２３）は、前記穴（２２）の下から上に延びて、前記関節接続手段（１５）と連結される
ことを特徴とする装置。
【請求項２】
分解可能および／または折畳み可能なシェルター（２）の骨組みを構成する、前記シェルタ（２）を設置するための装置であって、
クリップ形状の締結手段（１１）が設けられた自由端（１０）を有する少なくとも２本の実質的に水平なアーム（７、８）が異なる高さにそれぞれに設けられた、少なくとも２本の垂直直立材（５、６）を備え、
前記装置は、
前記２本の直立材（５、６）のそれぞれに並進移動するように装着された接続リング（１６）との関節接続手段（１５）を端部（１３、１４）それぞれに備える少なくとも１本の伸縮梁（１２）
をさらに有し、
前記接続リング（１６）は、前記直立材（５、６）に沿った並進移動を妨げるための手段（１７）を有し、
複数の伸縮梁（１２）を受けるために、複数の接続リング（１６）が直立材（５、６）に沿って異なる高さに装着されることを特徴とする装置。
【請求項３】
不動化する前記手段（１７）が、前記直立材（５、６）に沿って前記接続リング（１６）を、位置決めするための位置決め手段から構成されることを特徴とする請求項１又は請求項２に記載の装置。
【請求項４】
接続リング（１６）が、一方の端部が前記直立材（５、６）に沿って配置された複数の穴（１９）のうちの１つに係合することができる弾性戻り指部（１８）を備えることを特徴とする請求項３に記載の装置。
【請求項５】
接続リング（１６）が、突出するように設けられたその外周に、少なくとも１つの突起（２０、２１）であって、ピン（２３）を受けるための穴（２２）を有する少なくとも１つの突起（２０、２１）を備え、前記突起（２０、２１）には、前記端部（１３、１４）のそれぞれで伸縮梁（１２）を終端させる前記関節接続手段（１５）が設けられていることを特徴とする請求項２に記載の装置。
【請求項６】
ピン（２３）が、伸縮梁（１２）の一方の端部（１３、１４）でヨーク（２５）を用いて関節接続された接続部（２４）から延在することを特徴とする請求項５に記載の装置。
【請求項７】
伸縮梁（１２）が、相補断面によって相互に入れ子にすることができる複数の筒状外形（２７、２８）で構成されることを特徴とする請求項１〜請求項６のうちのいずれか１項に記載の装置。
【請求項８】
アクセサリを受けるための１つ以上の締結支持具（２９、３０）が伸縮梁（１２）に装着されることを特徴とする請求項１〜請求項７のうちのいずれか１項に記載の装置。
【発明の詳細な説明】
【発明の詳細な説明】
【０００１】
本発明は、具体的には折畳みテント型の、屋外で使用するために設計された分解可能および折畳み可能なシェルターの分野に属する。
本発明は、具体的にはシェルターを設置するための装置に関する。
【０００２】
こうした装置は、空間と、保管、荷積み、または製品展示面とを提供する設備の構成に適用可能であることが好ましいであろうが、それに限らない。
既知の方法では、展示会、市場、または同様の場の実演に際して、各出展者および／または業者は、分解可能な構造体で構成され、タープまたは同様の手段を伴う骨組みを備えるブースまたはシェルターを設置する。いくつかの種類の分解可能な構造体があり、非常に多くの場合、そうした構造体は、迅速かつ容易に設置および分解できるように提供される。
【０００３】
分解可能な構造体は、主として金属から作られ、入れ子要素で構成されるもの、および、展開可能な要素で構成されるものが含まれる。
展開可能な要素を有する構造体は、パンタグラフ型の１組の関節接続されたプロファイルの形態を取り、タープまたは同様の部材を支持するのに適した展開位置から、輸送のための折畳み位置への移行が可能である。
【０００４】
展開可能な要素を有するこれらの構造体は、構造体の脚部を構成するよう設計された一般的には４本または６本の支柱と、隣接する２本の支柱を接続してつなぎ梁を形成するプロファイルと、任意には、互いに接続され、かつ各支柱に接続されて垂木を形成するプロファイルと、を備える。折畳み位置において、支柱は、互いに平行に配置され、一方、上記プロファイルは、支柱間で互いに対して折畳まれる。さらに、支柱は、伸縮するように設けられ得る。
【０００５】
これらの展開可能な構造体は、他のタイプの構造体に比べ、特には据え付けの容易さおよび速さに関して、多くの利点を有する。しかしながら、具体的には、例えばカウンター、バー、トレーやシェルターの外部拡張部を形成するために、水平周壁を追加することによって、および／または、シェルターの内部と外部とを分けるために、または、シェルターの内部スペースを区切るために、垂直壁を追加することによって、これらの構造体は、可能な構成に関して制限を受ける。
【０００６】
１つのソリューションが、垂直直立材で構成された構造体を対象にしたフランス特許第２，８６８，１０１号に記載されており、垂直直立材に沿って２本の上部および下部アームが一方の端部で具体的には関節接続され、アームの反対側の端部は、挟持による組み付けで支柱に締結されて支柱と協働することができる。このために、各アームは、離間し平行に延在する１対のプロファイルを備え、プロファイルの端部が支柱の両側を把持する。こうして、上部アームは、面、具体的にはプレートの支持の役割を果たすことができ、他方で下部アームは、このように形成された構造体の形状を保証する。２本の隣接する梁に２つの同じ構造体を固定することで、それによりシェルターの構造体に対して内側と外側との両方に向けて延在するカウンターまたは棚を作り出すことが可能になる。
【０００７】
より具体的には、支柱に締結されたプロファイルの端部は、それぞれクリップの顎部の一部分を形成する。各部分の内表面は、シェルターの支柱の外側断面に対して相補的になるように構成される。具体的には、六角形の支柱の場合、各部分は、相互に傾斜した２つの表面と、自由端に突起を有する端部とを内側に備える。こうして、その断面に対応する角度部分に従って、構造体を支柱周りに回転できるようにすることで、構造体を方向付けることが可能である。六角形の断面の場合、アームを６０°毎の角度で方向付けすることができる。
【０００８】
しかしながら、このようなソリューションでは、それぞれがシェルターの支柱に接続されたベースが形成されるが、ベースが受け取る面の最適な安定性、具体的には横方向の安定性は、提供されない。さらに、面は、必ず水平アーム上に載らねばならず、可能な構造が制限される。つまり、可能な構成という点から設置が大きく制限される。
【０００９】
他のソリューション、具体的にはシェルターの構造体の部材に直接的に接続された伸縮梁を用いることがフランス特許第２，７５３，２２０号、米国特許第２，８３６，８６０号、およびドイツ実用新案第８６  ２３  ９８２  Ｕ１号に記載されている。これらのソリューションによっても、シェルターの構造体にこうして取り付けられた要素のモジュール構成と安定性とを得ることができない。
【００１０】
本発明は、接続リングを使用して前述の直立材のそれぞれと接続する少なくとも１本の梁で構成される、シェルターを設置するための装置を提案することで従来技術の欠点を相殺することを目的とする。接続リングは、具体的には各直立材に沿った、梁の高さの垂直方向のインデキシング（ｉｎｄｅｘｉｎｇ）を保証する。さらに、こうした梁は、直立材とアームとで形成される構造の角度配向に基づき長さを適合させることができるように、有利には伸縮するように設けられる。
【００１１】
このために、分解可能および／または折畳み可能なシェルターを設置するためのこうした装置は、クリップ形状の締結手段が設けられた自由端を有する少なくとも２本の実質的に水平なアームが異なる高さにそれぞれに設けられた、少なくとも２本の垂直直立材を備え、２本の直立材のそれぞれに並進移動するように装着された接続リングとの関節接続手段を端部のそれぞれに備える少なくとも１本の伸縮梁をさらに有することを特徴とし、この接続リングは、直立材に沿った並進移動を妨げるための手段を有する。
【００１２】
有利には、複数の伸縮梁を受けるために、直立材に沿って、異なる高さに数個の接続リングを装着することができる。
こうして数本の梁を迅速にかつ容易に、上下に配置することができる。こうした梁は、水平に延在するように、求められてもよいが、関節接続手段によって傾斜して方向付けられてもよい。さらに、梁の伸縮する性質のために、その位置に基づいて長さを適合させることができる。
【００１３】
本発明の装置は、面またはサポートのための少なくとも１本のサポートバーを形成することができ、このバーは、シェルターの内側または外側に向けることができる。高さの中央にインデックスされた堅い面の場合、本装置はサポート構造体に対して内側または外側にオフセットしたカウンターを形成することができる。数本のバーにより、棚または衣装棚を形成することができる。
【００１４】
従って、本発明は、周囲に水平の壁を追加することを容易にすることができ、例えばカウンター、バー、棚、または衣装棚を形成することができる。
本発明のその他の特徴および利点は、添付の図面を参照し、本発明の非制限的な実施形態の以下の詳細な説明から明らかになるであろう。
【図面の簡単な説明】
【００１５】
【図１】本発明の例示的な設置装置を備えたシェルターを概略的に表す。
【図２】本発明の別の例示的な設置装置を表す、図１に類似した図を表す。
【図３】支柱上部のアームと垂直直立材との間の接続部、および伸縮梁と直立材上の接続リングとの間の接続部を表す詳細図である。
【図４】伸縮梁と直立材上の接続リングとの間の接続部をより具体的に表す詳細図である。
【図５】図３に類似した、別の角度から見た図に相当する。
【発明を実施するための形態】
【００１６】
添付図面に示すように、本発明は、分解可能および／または折畳み可能なタイプのシェルター２を設置するための装置１に関し、この装置は、図１および２に示すように、屋根（図示せず）を形成するタープまたはキャンバスを受けて広げるための展開可能および／又は分解可能な構造体４が載った少なくとも４本の支柱３を本質的に備える。
【００１７】
このため、本発明の設置装置１は、少なくとも２本の垂直直立材５、６であって、それぞれが、下部アーム７と上部アーム８とを含む、少なくとも２本のアームを、異なる高さに備える、少なくとも２本の垂直直立材５、６を備える。これらアームは、これらの直立材５、６に対して実質的に水平に延在することができ、アームは、直立材に対して一方の端部９で、好ましくは関節接続されるように固定される。
【００１８】
これらアーム７、８は、その自由端１０において、クリップを形成する締結手段１１を備える。この締結手段を通じて、アーム７、８および従って直立材５、６は、シェルター２の支柱３の周りで、様々な角度位置に取り付けられ得る。
【００１９】
好ましい実施形態によれば、アーム７、８は、水平に、または実質的に水平に延在し、他方で直立材５、６は、垂直に、または実質的に垂直に延在する。アーム７、８および対応する支柱５または６の各ペアによって形成される平面は、垂直に、または実質的に垂直に延在し、それらが取り付けられた各支柱３の長手方向中心軸を通る。
【００２０】
さらに本発明では、設置装置１は、直立材５、６のそれぞれが有する接続リング１６と協働する関節接続手段１５が各端部１３、１４に設けられた伸縮梁１２をも備える。
より具体的には、接続リング１６は、直立材５、６に沿って並進移動するように装着され、具体的には、直立材５、６それぞれに１つのリングが装着される。接続リングは、直立材５、６に沿ってリングを異なる高さに位置決め可能な固定手段１７を備える。
【００２１】
好ましくは、固定手段１７は、直立材５、６に沿って接続リング１６の位置をインデキシング（ｉｎｄｅｘｉｎｇ）するためのインデキシング手段から構成される。
より具体的には、そのような接続リング１６は、インデキシング弾性戻り指部１８を備えることができ、インデキシング弾性戻り指部１８の一端は、直立材５、６に沿って配置された複数の穴１９のうちの１つに係合することができる。
【００２２】
もちろん、固定手段１７は、例えば把持によって締結する手段などその他の形状を取ることもできる。さらに、数本の伸縮梁１２を受けるために、数個の接続リング１６を直立材５、６に装着することができる。
【００２３】
好ましい実施形態によれば、直立材５、６は、多角形の外側断面を有する。このため、リング１６は、シースから構成され、全体的に筒形状を有し、中空に設けられ、直立材５、６で一端から他端へ通り抜けられるよう設計され、並進移動可能に装着される。さらに、シースの内側断面は、直立材５、６の形状および寸法に対して、相補的な形状を有し、外側断面の寸法はより大きい。図面に表す実施形態においては、直立材５、６は、多角形、具体的には六角形の断面を有することができる。
【００２４】
さらに、１つの有利な実施形態によれば、接続リング１６は、突出するように設けられたその外周に、アイレットを形成する少なくとも１つの突起２０であって、ピン２３を受けるための穴２２を有する少なくとも１つの突起２０を備え、ここには、端部１３、１４のそれぞれで伸縮梁１２を終端させる関節接続手段１５が設けられる。こうして穴２２内のピン２３の協働アセンブリーは、ヒンジピンを形成する。
【００２５】
より具体的には、ピン２３は、ベースを形成しヨーク２５を用いて梁１２の端部１３、１４に関節接続された接続部２４から延在する。具体的には、接続部２４は、下端部がピン２３を構成し、上方に位置する反対側の端部がヨーク２５と協働するタブの形状を取ることができる。さらに、この協働を、ピボットリンクによって、具体的には一対のネジとナットとを使用したネジ締めによって行うことができ、ネジは、ヨーク２５とタブの上記反対側の端部とを貫く。
【００２６】
１つの追加の特徴によれば、ヨーク２５を関節接続して、梁１２の端部１３、１４に対して枢動させることができる。具体的には、回転は、梁１２の長手方向の軸を中心に行うことができる。ピボットリンクを図４に矢印で概略的に表す。
【００２７】
ピン２３を形成するロッドが、図に表すように、締付ナットを受けるためのネジ付きロッドの形状を取ることができるのと同様、ピン２３を形成するロッドを、レバーピンまたは同様の部材を用いて接続リング１６の突起２０の穴２２内に保持することができることに注目すべきである。
【００２８】
これら関節接続手段１５によって、梁１２は、水平に、または２本の直立材５、６の間で傾斜して延在することができる。
さらに、この伸縮梁１２のこれら直立材５、６への組み付けが大変容易になり、操作者は、それらを互いに対して位置決めする際に制約を受けない。
【００２９】
ピン２３を形成するロッドがそこから延在する接続部２４は、突起２０、２１における穴２２の口２６のように、円錐の胴部形状に構成することができ、部品相互のセルフセンタリングおよび遊びのない部品の組み付けを助けることにも注目すべきである。具体的には、円錐台形の壁が、ピン２３を形成するロッドにおいて、穴２２の開口上部から縮小して相補的に延在する。
【００３０】
伸縮梁１２は、相補的断面によって相互に入れ子にすることができる複数の筒状プロファイル２７、２８で構成されてもよい。具体的には、第１のプロファイルは、第２のプロファイルの内部に滑り込み、そのため相補形状の外側断面を有し、寸法は、第２のプロファイルのそれより小さい。
【００３１】
直立材３および梁５、６も、折畳み及び展開が可能なように、伸縮式に設けることができることが注目されるであろう。さらに、直立材５、６の高さを、地面の高さの差に基づいて調整することが可能であるが、特に、梁が接続リング１６の間に斜めにまたは傾斜して位置する場合には、梁１２を異なる向きに方向付けることが可能である。
【００３２】
さらに、梁１２の伸縮する性質のために、具体的には梁を、直立材５、６の間に斜めに配置する際、またはアーム７、８の角度位置に基づいて、梁の長さを変更することができる。
【００３３】
さらに、本発明によれば、例えばトレー３１、衣装棚部品３２などの種々のアクセサリを取り付けることができる１つ以上の締結支持具２９、３０がこの伸縮梁１２に装着される。
【００３４】
締結支持具２９、３０は、より具体的にはリング３３の形状を取ることができ、その内側断面は、伸縮梁１２のプロファイル２７、２８のうちの一方または他方の外側断面に調整される。これに関して、好ましくは、これらプロファイル２７、２８は、伸縮梁１２の周りの締結支持具２９、３０の角度インデキシングを容易にする多角形の断面を有する。
【００３５】
リング３３は、適切な締結穴３５により、前述のアクセサリを容易に取り付けることができる締結プレート３４に固定され得る。
本質的に、本発明の設置装置１は、シェルターが取り付けられる支柱上にシェルター２を安定させるのに有利に役立つことに注目すべきである。この安定（ｂａｌｌａｓｔ）は、アクセサリ（トレー、衣装棚など）が追加され装着されるに従って大きくなる。この結果、分解可能および／または展開可能なシェルター２の安全性が増す。
【００３６】
好ましい実施形態によれば、アーム、直立材、および梁を構成するプロファイルは、関節接続部の少なくともいくつかと同様に金属材料から作ることができ、一方、その他の要素はプラスチックまたは複合材料から作ることができる。もちろん、本発明は、決して制限されるものではなく、形状、材料、およびこれら種々の要素の組み合わせに関して、本発明の範囲および主旨を超えることなく、本発明に対して様々な変更が可能である。
【図１】
0006484615.tif 000002
【図２】
0006484615.tif 000003
【図３】
0006484615.tif 000004
【図４】
0006484615.tif 000005
【図５】
0006484615.tif 000006